(57)【要約】      （修正有）【課題】編集対象となるサムネイルがタイトルであるのか或いはチャプターであるのかをユーザが容易に認識できる映像記録再生機器を提供する。【解決手段】第１領域Ａに表示されているサムネイルリストはタイトルリストである。第２領域Ｂにはプレイリストのパーツが表示される。（ａ）は、追加したいチャプターが含まれるタイトルを選択したときに表示される画面である。第１領域Ａの最も左側にタイトルのサムネイルが表示され、それよりも右側に順にチャプターのサムネイルが表示されている。タイトルのサムネイルの大きさに比べて、チャプターのサムネイルを小さくしている。これにより、特に各サムネイル上に表記がなくても、ユーザは、サムネイルがタイトルであるのかそれともチャプターであるのかを区別することができる。【選択図】図４
2006237796.tif 000002
【特許請求の範囲】
【請求項１】
少なくともタイトルのサムネイルとチャプターのサムネイルが表示されるプレイリスト作成編集画面を表示する手段と、前記プレイリスト作成編集画面に表示されるサムネイルがタイトルのものか或いはチャプターのものかを判断する判断手段と、前記判断手段の判断に基づき、タイトルである場合とチャプターである場合とで各々のサムネイルがユーザの視覚を通じて区別される形態となるように前記サムネイルの画像に違いを持たせる手段と、を備えたことを特徴とする映像記録再生機器。
【請求項２】
請求項１に記載の映像記録再生機器において、前記サムネイルの画像の違いは、画像の大きさの相違、画像の形状の相違、画像の外枠の色の相違、及び付されたマーク画像の相違の少なくとも一つによって実現されることを特徴とする映像記録再生機器。
【請求項３】
請求項１又は請求項２に記載の映像記録再生機器において、前記プレイリスト作成編集画面上には、プレイリストとして選択される前のサムネイルが表示される第１領域が形成されており、この第１領域上で、前記違いを有するサムネイル表示が実行されることを特徴とする映像記録再生機器。
【請求項４】
請求項１乃至請求項３のいずれかに記載の映像記録再生機器において、前記プレイリスト作成編集画面上には、プレイリストとして選択された後のサムネイルがパーツとして表示される第２領域が形成されており、この第２領域上で、前記違いを有するサムネイル表示が実行されることを特徴とする映像記録再生機器。
【請求項５】
請求項４に記載の映像記録再生機器において、既存のプレイリストを前記プレイリスト作成編集画面上で編集するときには、前記既存のプレイリストのパーツが前記第２領域に表示され、且つ前記パーツはタイトルであるかチャプターであるかに係わらず同じ形態のサムネイル表示がなされることを特徴とする映像記録再生機器。
【請求項６】
請求項５に記載の映像記録再生機器において、前記第２領域に新たなパーツが追加されるときには、当該パーツがタイトルであるかチャプターであるかによって異なる形態のサムネイル表示が行われることを特徴とする映像記録再生機器。
【発明の詳細な説明】
【技術分野】
【０００１】
この発明は、プレイリスト作成編集機能を備えた映像記録再生機器に関する。
【背景技術】
【０００２】
従来より、プレイリスト作成編集機能を備えたプレイリスト作成ガイド機能付き記録再生機器が提案されている（特許文献１参照）。この記録再生装置は、プログラム（チャプター或いはタイトル）のサムネイルを作成し、作成された複数のサムネイルを画面上のサムネイル表示領域に一覧表示させるとともに、その複数のサムネイルの中から所望のサムネイルを選択し、選択サムネイル表示領域に配列させるものである。
【特許文献１】特開２００２−１５２６６５号公報
【発明の開示】
【発明が解決しようとする課題】
【０００３】
しかしながら、従来のプレイリスト作成編集においては、編集対象となるサムネイルの一つ一つがタイトルであるのか或いはチャプターであるのかが分かり難いという不満がある。
【０００４】
この発明は、上記の事情に鑑み、編集対象となるサムネイルがタイトルであるのか或いはチャプターであるのかをユーザが容易に認識できる映像記録再生機器を提供することを目的とする。
【課題を解決するための手段】
【０００５】
この発明の映像記録再生機器は、上記の課題を解決するために、少なくともタイトルのサムネイルとチャプターのサムネイルが表示されるプレイリスト作成編集画面を表示する手段と、前記プレイリスト作成編集画面に表示されるサムネイルがタイトルのものか或いはチャプターのものかを判断する判断手段と、前記判断手段の判断に基づき、タイトルである場合とチャプターである場合とで各々のサムネイルがユーザの視覚を通じて区別される形態となるように前記サムネイルの画像に違いを持たせる手段と、を備えたことを特徴とする。
【０００６】
上記の構成であれば、前記サムネイルの画像は、タイトルである場合とチャプターである場合とでユーザの視覚を通じて区別される形態で表示されるので、編集対象となるサムネイルがタイトルであるのか或いはチャプターであるのかをユーザは容易に認識することができる。
【０００７】
上記構成の映像記録再生機器において、前記サムネイルの画像の違いは、画像の大きさの相違、画像の形状の相違、画像の外枠の色の相違、及び付されたマーク画像の相違の少なくとも一つによって実現されるのがよい。
【０００８】
これら構成の映像記録再生機器において、前記プレイリスト作成編集画面上には、プレイリストとして選択される前のサムネイルが表示される第１領域が形成されており、この第１領域上で、前記違いを有するサムネイル表示が実行されるのがよい。
【０００９】
これら構成の映像記録再生機器において、前記プレイリスト作成編集画面上には、プレイリストとして選択された後のサムネイルがパーツとして表示される第２領域が形成されており、この第２領域上で、前記違いを有するサムネイル表示が実行されるのがよい。かかる構成において、既存のプレイリストを前記プレイリスト作成編集画面上で編集するときには、前記既存のプレイリストのパーツが前記第２領域に表示され、且つ前記パーツはタイトルであるかチャプターであるかに係わらず同じ形態のサムネイル表示がなされるのがよい。前記第２領域に新たなパーツが追加されるときには、当該パーツがタイトルであるかチャプターであるかによって異なる形態のサムネイル表示が行われるのがよい。
【発明の効果】
【００１０】
この発明の映像記録再生機器によれば、編集対象となるサムネイルがタイトルであるのか或いはチャプターであるのかをユーザは容易に認識することができるという効果を奏する。
【発明を実施するための最良の形態】
【００１１】
以下、この発明の実施形態を図１乃至図１０に基づいて説明する。
【００１２】
図１に放送受信機能付きの映像記録再生機器１のブロック図を示す。入力部１０には地上波アナログチューナ１１や図示しない外部入力端子（この端子には、例えば、ケーブルＴＶ用のセットトップボックスなどの映像装置が接続される）などが設けられる。オーディオＡ／Ｄコンバータ１２は、地上波アナログチューナ１１等からのアナログ音声信号をディジタル信号に変換する。また、ＮＴＳＣデコーダ１３は地上波アナログチューナ１１等からのアナログ映像信号をディジタル信号（ＣＣＩＲ−ＲＥＣ６５６）に変換する。
【００１３】
ＭＰＥＧビデオエンコーダ１４は、前記ＮＴＳＣデコーダ１３から出力されたディジタル映像信号に対してＭＰＥＧビデオ規格に従った処理を実行する。ＭＰＥＧオーディオエンコーダ１５は、前記オーディオＡ／Ｄコンバータ１２から出力されたディジタル音声信号に対して、オーディオ規格（ＭＰＥＧ／ＡＣ３／リニアＰＣＭ）に従った処理を実行する。
【００１４】
マルチプレクサ１６は、ＭＰＥＧビデオエンコーダ１４から出力されるビデオＰＥＳ（Ｐａｃｋｅｔｉｚｅ  Ｅｌｅｍｅｎｔａｒｙ  Ｓｔｒｅａｍ）及びＭＰＥＧオーディオエンコーダ１５から出力されるオーディオＰＥＳを多重化してＭＰＥＧストリームを出力する。バッファ１７には、前記ＭＰＥＧストリームが一時的に格納される。
【００１５】
記録部２０には、ハードディスクドライブ（ＨＤＤ）２１及びＤＶＤレコーダ２２が設けられている。ハードディスクには受信した映像等のコンテンツが格納される。そして、このコンテンツをＤＶＤレコーダ２２のＤＶＤディスクにダビングすることができる。ＤＶＤレコーダ２２において、ＭＰＥＧストリーム（ディジタル信号）は図示しない変調部によってＤＶＤメディアに記録しやすい形に変調され、図示しないピックアップは変調信号に基づいてレーザ光を照射してＤＶＤメディアにデータを記録する。また、前記ピックアップは、ＤＶＤメディアから信号を読み取り、電気信号に変換する。ピックアップから出力される電気信号は、復調部によってディジタル信号に変換される。
【００１６】
出力部３０のデマルチプレクサ３１は、ＭＰＥＧストリーム（映像、音声、字幕がそれぞれの識別子を備えながら１本の信号になっている）を、前記識別子に従って映像ストリーム、音声ストリーム等に分離する。分離されたストリームはビデオバッファ３２及びオーディオバッファ３３に一時的に格納される。
【００１７】
ＭＰＥＧビデオデコーダ３４は、映像ストリームを復号して量子化係数や動きベクトルを求め、逆ＤＣＴ変換や動きベクトルに基づく動き補償制御などを行うことによって映像データを出力する。
【００１８】
ＭＰＥＧオーディオデコーダ３５は、音声ストリーム中の音声符号データ（ドルビーＡＣ−３などのフォーマットによる符号データ）を復号して、非圧縮の音声データを生成する。オーディオＤ／Ａコンバータ３６は、非圧縮の音声データをＤ／Ａ変換する。
【００１９】
ＯＳＤ回路３７は、ＭＰＥＧビデオデコーダ３４から出力される映像データ及び／又は前記入力部１０におけるＮＴＳＣデコーダ１３から出力される映像データに自機側で作成した画像を合成する。すなわち、ＯＳＤ回路３７は、図示しないシステムコントローラから出力指示された文字情報や色情報に基づく映像データを図示しない加算器（例えば、描画メモリ）に出力する。加算器は前記映像データを前記デコーダ３４，１３から出力される映像データに組み込む処理を行う。上記ＯＳＤ回路３７により、ＥＰＧ（Ｅｌｅｃｔｒｏｎｉｃ  Ｐｒｏｇｒａｍ  Ｇｕｉｄｅ）表示やプレイリスト作成編集画面表示などが行える。スイッチＳは、ＭＰＥＧオーディオデコーダ３５からの音声又はオーディオＡ／Ｄコンバータ１２からの音声を選択して出力する。
【００２０】
ＮＴＳＣエンコーダ３８は、ＯＳＤ回路３７から出力された映像データ（色差信号データ）をＮＴＳＣ信号にエンコードする。モニタ３９にはＮＴＳＣ信号に基づく映像が表示される。
【００２１】
これら各回路は図示しないシステムコントローラによって制御される。
【００２２】
ところで、ＤＶＤビデオ規格では、図１０に示すように、アプリケーションフォーマットが規定されている。また、ＤＶＤディスク内の記録情報は、図９に示すように構成されている。
【００２３】
プレイリスト編集処理における処理内容を以下に説明していくが、これに先立って、用語に関しての簡単な説明を行う。まず、「タイトル」であるが、これはレコーダーによって録画された一つのファイルであり、このタイトルが編集を行う際の元となる。そして、録画した番組（タイトル）は、図２（ａ）（ｂ）（ｃ）に示すように、好みの場所で区切ることができる。この区切った一つ一つがチャプターという単位となり、タイトルと同じく、チャプター単位でも編集可能である。従って、録画されたタイトルそのものは一つのチャプターからできたファイルと捉えることができる。プレイリストは、図２（ｃ）に示すように、好みのタイトルやチャプターを集め、一つのタイトルとしたものである。プレイリストを作成することによって、別タイトルのものを一つのファイルのように編集することもできる。編集処理技術自体（ユーザ定義のＰＧＣ（プログラムチェイン）の作成等）は、例えば、背景技術で挙げた公報の技術等を用いることができる。サムネイルは、複数のタイトルやチャプター等を一覧に表示するために縮小（画素間引き）された画像である。この発明の特徴の一例は、前記サムネイルの大きさに関係する。
【００２４】
図１の映像記録再生機器においてプレイリストを新規作成するときのメイン画面（ＯＳＤ表示画面）を図３（ａ）に示す。また、前記メイン画面上でプレイリストのパーツを追加するとき（「追加」ボタンを操作したとき）の画面を図３（ｂ）に示す。前記図３（ｂ）の画面において、第１領域Ａに表示されているサムネイルリストは、タイトルリスト（録画番組等）である。システムコントローラは、記録メディア上に存在するタイトルのサムネイルを読み出すとともに、第１領域Ａに表示できる数のサムネイルを表示する処理を行うことになる。また、システムコントローラは、第１領域Ａ上のサムネイルを消去したとき或いはスクロール処理が行われたときにおいて、他のサムネイルが存在するときには、当該他のサムネイルを第１領域Ａに繰り入れて表示する処理を行う。第２領域Ｂにはプレイリストのパーツが表示される。図３（ｂ）では、まだパーツが選択されていないので、何も表示されていない。また、図３（ｂ）では、タイトルＮｏ．１が選択されており（枠状のカーソルが載せられている）、第３領域Ｃには、タイトルＮｏ．１に付随している情報（録画日時、チャンネル番号、録画モード、ジャンル等）が表示される。すなわち、システムコントローラは、選択されたサムネイルの付随情報が第３領域Ｃに表示されるようにＯＳＤ回路３７を制御する。
【００２５】
ここで、タイトルＮｏ．１には、チャプターが作成されていることとしているので、タイトルＮｏ．１について追加の決定操作（決定ボタンの押下等）がなされた場合には、そのチャプターを前記第１領域Ａに表示することとする。この状態を図４（ａ）に示す。すなわち、図４（ａ）は、追加したいチャプターが含まれるタイトルを選択したときに表示される画面である。この図４（ａ）においては、第１領域Ａの最も左側にタイトルのサムネイルが表示され、それよりも右側に順にチャプターのサムネイルが表示されている。
【００２６】
そして、上記図４（ａ）から分かるように、タイトルのサムネイルの大きさに比べて、チャプターのサムネイルを小さくしている。これにより、特に各サムネイル上に表記がなくても、ユーザは、サムネイルがタイトルであるのかそれともチャプターであるのかを区別することができる。ここで、システムコントローラは、通常の録画番組（ファイル）については、タイトルの属性情報を与えておき、チャプター処理によって得られたファイルについては、チャプターであることを示す属性情報を与えておくことにより、対象ファイルがタイトルであるかチャプターであるかを判断することができる。また、チャプターについては、その親（元）であるタイトルとの関連情報を持たせておくことにより、図４（ａ）に示したごとく、チャプターが含まれるタイトルが選択されたときに、それと関連付けられているチャプターを特定してそのサムネイルを表示することができる。
【００２７】
上述したプレイリスト作成画面を表示するためのシステムコントローラの処理内容としては、ＯＳＤ表示しようとするサムネイルがタイトルのものかそれともチャプターのものかを判断する処理と、例えば、サムネイルがタイトルのものであるときには通常の大きさのサムネイルをＯＳＤ回路３７に表示させ、サムネイルがチャプターのものであるときには通常の大きさのサムネイルに対して更に画素間引きを実行してＯＳＤ回路３７に表示させる処理とがある。
【００２８】
図４（ｂ）はチャプターＮｏ．１が選択されたときの画面を示している。これに続いてタイトルを選択したときの画面を図５に示す。これらの図から分かるように、第２領域Ｂ上のサムネイルの表示（パーツ表示）においても、タイトルのサムネイルの大きさに比べて、チャプターのサムネイルの大きさを小さくしており、ユーザーにとってはサムネイルを見ただけでその違いがわかり、プレイリストを作成する際のユーザーインターフェースの改善につながる。
【００２９】
図６、図７（ａ）（ｂ）、図８（ａ）（ｂ）は、既存のプレイリストを編集するときの編集画面を示している。図６は編集のメイン画面であり、図７（ａ）はメイン画面においてプレイリストのパーツを追加するときの画面であり、図７（ｂ）は追加したいチャプターが含まれているタイトルを選択したときの画面である。編集画面においては、既存のプレイリストパーツに関しては、チャプター単位での編集ができるため、作成時にタイトルとして選んだものに対しても、チャプターと同様に扱うこととし、全て小さいサムネイルで表示している。図７（ｂ）の画面上で、追加するパーツとしてタイトルを選んだ場合の画面遷移を図８（ａ）に示しており、その後にチャプターを選んだ場合の画面遷移を図８（ｂ）に示している。これらの画面表示から分かるように、編集時においても新規作成時と同じく、選んだパーツがタイトルであるか或いはチャプターであるかにより、サムネイルの大きさを異ならせることで、パーツを消去、移動する際のユーザーインターフェースの改善につながることになる。
【００３０】
以上の例では、タイトルであるか或いはチャプターであるかによってサムネイルの大きさを変えることとしたが、これに限るものではなく、例えば、以下に示すような相違を持たせてもよい。
１．形状の相違：例えば、一方のサムネイルの形状を方形とし、他方のサムネイルの形状を方形の四隅が丸みを帯びた形状とする。或いは、一方のサムネイルの形状を方形とし、他方のサムネイルの形状を菱形とする。また、一方のサムネイルの形状を立体的（影付きでもよい）とし、他方のサムネイルの形状を平面的形状とする。
２．色の相違：例えば、一方のサムネイルの枠の色を青色とし、他方のサムネイルの枠の色を赤色とする。なお、カーソルとしての枠の色は両色と異なるようにしておく。
３．マークの相違：例えば、一方のサムネイルの右上角に○（円）を表示し、一方のサムネイルの右上角に△（三角）を表示する。
４．前述した大きさの相違と関連して、タイトルのサムネイル内に、そのチャプターを重ねて（少しずつずらして重ねて）表示することとしてもよい。
５．これら相違の手法を２つ以上の組み合わせてもよい。
【００３１】
なお、以上説明した実施例では、ＤＶＤビデオ規格に基づいた構成例を示したが、これに限るものではない。
【図面の簡単な説明】
【００３２】
【図１】この発明の実施形態の映像記録再生機器を示したブロック図である。
【図２】同図（ａ）及び（ｂ）はタイトル及びチャプターの説明図である。
【図３】同図（ａ）及び（ｂ）はプレイリストの新規作成画面である。
【図４】同図（ａ）及び（ｂ）はプレイリストの新規作成画面である。
【図５】プレイリストの新規作成画面である。
【図６】プレイリストの編集画面である。
【図７】同図（ａ）及び（ｂ）はプレイリストの編集画面である。
【図８】同図（ａ）及び（ｂ）はプレイリストの編集画面である。
【図９】ＤＶＤディスク内の記録情報を示した説明図である。
【図１０】アプリケーションフォーマットの説明図である。
【符号の説明】
【００３３】
１    映像記録再生機器
１０  入力系
２０  記録部
３０  出力部
３７  ＯＳＤ回路
【図１】
2006237796.tif 000003
【図２】
2006237796.tif 000004
【図３】
2006237796.tif 000005
【図４】
2006237796.tif 000006
【図５】
2006237796.tif 000007
【図６】
2006237796.tif 000008
【図７】
2006237796.tif 000009
【図８】
2006237796.tif 000010
【図９】
2006237796.tif 000011
【図１０】
2006237796.tif 000012